(57)【要約】【課題】本発明は、飲料などの容器をより高い位置で保持できるサポートを有するカップホルダを提供することを課題とする。【解決手段】本発明のカップホルダは、開口を持つ箱状の本体（１０）と、この本体に揺動可能に枢止され開口を開閉する蓋体（２０）と、前記本体に配置され容器の位置ズレを規制するサポート（３０）と、このサポートを上方向へ付勢する付勢手段（３５）と、付勢手段の付勢力に抗してサポートを係止する係止手段（４２）と、この係止手段による前記サポートの係止を解除する係止解除手段（４３）とを備え、蓋体の開位置で蓋体が係止解除手段を介して係止手段を解除することで、付勢手段によりサポートが係止位置から使用位置へ変位することを特徴とする。【選択図】図３
2009001200.tif 000002
【特許請求の範囲】
【請求項１】
開口を持つ箱状の本体と、該本体に揺動可能に枢止され該開口を開閉する蓋体と、前記本体に配置され容器を安定的に保持するサポートと、該サポートを上方向へ付勢する付勢手段と、該付勢手段の付勢力に抗して前記サポートを係止する係止手段と、該係止手段による前記サポートの係止を解除する係止解除手段とを備え、
前記蓋体の開位置で該蓋体が前記係止解除手段を介して前記係止手段を解除することで前記付勢手段により前記サポートが係止位置から使用位置へ変位することを特徴とするカップホルダ。
【請求項２】
前記蓋体は、前記開位置から前記閉位置へ回動する際に前記サポートを押圧する凸部を該蓋体の内面側に備える請求項１に記載のカップホルダ。
【請求項３】
前記サポートは、容器表面に当接する当接部と該当接部に直交する筒部と有し、該筒部の周壁に前記係止手段と係止する係止穴を有する請求項１又は２に記載のカップホルダ。
【請求項４】
前記サポートは、前記本体の底部に立設された軸体に摺動自在に装着されている請求項１〜３のいずれかに記載のカップホルダ。
【請求項５】
前記係止手段は、前記サポートの前記係止穴に進入して該サポートを係止する係止部と前記本体の後壁から突出して前記蓋体に当接する押圧部とを一体的に形成した係止部材の該係止部である請求項１〜４のいずれかに記載のカップホルダ。
【請求項６】
前記係止解除手段は、前記係止部材の押圧部である請求項５に記載のカップホルダ。
【請求項７】
前記係止手段は、前記サポートの前記係止穴に進入して該サポートを係止する一対の係止部を上部に一対の凸部を有する連結部で連結して一体的に形成した係止部材である請求項１〜４のいずれかに記載のカップホルダ。
【請求項８】
前記係止解除手段は、前記係止部材を押圧する押圧部材と、該押圧部材を支持する一対の支持部材とからなる請求項７に記載のカップホルダ。
【請求項９】
前記押圧部材は断面矩形の棒体と、該棒体の前端部近傍に直交して設けられた横軸とからなり、該棒体は該横軸の後方で上下に回動可能に接続されている請求項８に記載のカップホルダ。
【請求項１０】
前記支持部材は、前記押圧部材の横軸を挿通して支持するとともに該横軸の移動軌跡を規制する円弧形状の案内穴を有する請求項８又は９に記載のカップホルダ。
【発明の詳細な説明】
【技術分野】
【０００１】
本発明は、自動車のセンターパネル部分やセンターコンソール部分などに設けられる、飲料などの容器を保持又は載置するためのカップホルダに関する。
【背景技術】
【０００２】
自動車の車室内など限られた空間で飲食する場合に飲料カップや缶などの容器を保持又は載置するための各種のカップホルダが従来より利用されている。例えば、図１０に示すような箱型の蓋付きカップホルダ１００が知られている（特許文献１など）。
【０００３】
このカップホルダ１００は、ケース１１０と、蓋１２０とからなり、蓋は１２０はケース１１０の短側壁に揺動可能に取り付けられている。ケース１１０は容器が挿入される収納部１１２を区画するとともに容器を安定的に保持するサポート１３０を備えている。このサポート１３０は容器をできるだけ高い位置でホールドするように構成されている。しかし、ケース１１０の深さの制限により、十分なホールド性能を得られない場合があった。
【特許文献１】特開２００７−７６４０７号公報
【発明の開示】
【発明が解決しようとする課題】
【０００４】
本発明は、上記の問題を解決するためになされたもので、飲料などの容器をより高い位置で保持できるサポートを有するカップホルダを提供することを課題とする。
【課題を解決するための手段】
【０００５】
本発明のカップホルダは、開口を持つ箱状の本体と、この本体に揺動可能に枢止され開口を開閉する蓋体と、前記本体に配置され容器を安定的に保持するサポートと、このサポートを上方向へ付勢する付勢手段と、付勢手段の付勢力に抗してサポートを係止する係止手段と、この係止手段による前記サポートの係止を解除する係止解除手段とを備え、蓋体の開位置で蓋体が係止解除手段を介して係止手段を解除することで、付勢手段によりサポートが係止位置から使用位置へ変位することを特徴とする。
【０００６】
本発明のカップホルダでは、容器を安定的に保持するサポートは、蓋体の閉状態では、係止手段によって係止されてホルダ本体内に収容されている。ところが、蓋体を回動して開位置にすると、蓋体は係止解除手段を押圧して係止手段を解除する。そして付勢手段により上方に付勢されているサポートは上昇して係止位置から使用位置へと変位する。従って、サポートは飲料などの容器を従来よりも高い位置で保持することができるので十分なホールド性能を発揮することができる。
【０００７】
本発明のカップホルダにおいて、蓋体は、開位置から閉位置へ回動する際にサポートを押圧する凸部を蓋体の内面側に備えていることが望ましい。蓋体の回動軌跡に沿って凸部がサポートを押圧するのでサポートを容易に本体内へ収容することが出来る。
【０００８】
また、本発明のカップホルダにおいて、サポートは、容器表面に当接する当接部と該当接部に直交する筒部と有し、筒部の周壁に係止手段と係止する係止穴を有し、本体の底部に立設された軸体に摺動自在に装着されているとよい。このように構成されたサポートは上下方向の変位ととともに水平方向にも回動することができるので容器を安定的に保持することができる。
【０００９】
本発明のカップホルダにおいて、係止手段と係止解除手段とは一体的に形成されていることが望ましい。例えば、係止手段は、サポートの係止穴に進入して該サポートを係止する係止部と本体の後壁から突出して蓋体に当接する押圧部とを一体的に形成した係止部材の該係止部とし、係止解除手段は、この係止部材の押圧部としてもよい。このように係止手段と係止解除手段とを一体的に形成することで構成を簡素なものにすることができる。また、蓋体の開閉動作に連動してサポートを上昇あるいは下降することができるので操作が容易である。
【００１０】
また、係止手段と係止解除手段とは別体で構成されてもよい。例えば、係止手段は、サポートの係止穴に進入して該サポートを係止する一対の係止部を上部に一対の凸部を有する連結部で連結して一体的に形成した係止部材とし、係止解除手段は、この係止部材を押圧する押圧部材と、該押圧部材を支持する一対の支持部材とからなるようにしてもよい。ここで、押圧部材は断面矩形の棒体と、この棒体の前端部近傍に直交して設けられた横軸とからなり、該棒体は横軸の後方で上下に回動可能に接続されていることが望ましい。また、支持部材は、押圧部材の横軸を挿通して支持するとともに横軸の移動軌跡を規制する円弧形状の案内穴を有するようにするとよい。このように係止手段と係止解除手段とを別体とすることで、蓋体が開位置にある場合でも使用位置にあるサポートを手動で押し下げることにより係止位置に係止することができる。すなわち、容器の大きさなどによってサポートの位置を使用位置と係止位置の２段階に変更することができるので有用である。
【発明を実施するための最良の形態】
【００１１】
以下、実施例によって本発明のカップホルダを詳細に説明する。
【００１２】
（実施例１）
本実施例の構成及び作用を図１〜図４を参照して説明する。
【００１３】
図１に本実施例のカップホルダの斜視図を示す。
【００１４】
カップホルダ１は、開口１５を持つ箱状の本体１０と、本体１０に揺動可能に枢止され開口１５を開閉する蓋体２０と、本体内に配置され容器を安定的に保持するサポート３０とを備えている。
【００１５】
ホルダ本体１０は、例えば樹脂製の箱体であり、底部１１と左右の短側壁１２と前後の長側壁１３（前壁１３ｆ、後壁１３ｒ）とで２個の容器を収納可能な収納部１４を区画している。
【００１６】
蓋体２０は、例えば樹脂製の略矩形の板体であり、本体１０の短側壁１２に揺動アーム２２を介して揺動可能に枢止されており、揺動することにより本体１０の開口１５を開閉することができる。また、蓋体２０の内面側には凸部２４が形成されている。蓋体２０を開閉する開閉機構は、プッシュオープンあるいはターンオーバースプリングなど、従来から一般的に用いられている機構を適宜採用することができる。図１において蓋体２０はカップホルダ１の前後方向に揺動するので、以後本明細書では図１のＡ−Ａ’切断線においてＡ側を前、Ａ’側を後とする。
【００１７】
次に、図２を参照しながらサポート３０と係止手段及び係止解除手段について説明する。図２は、蓋体２０が閉位置にある場合のＡ−Ａ’断面を示す概略図である。
【００１８】
サポート３０は、筒部３１と容器表面に当接する当接部３２とを一体的に形成した断面が略Ｌ字形の樹脂製部材である。筒部３１断面のほぼ中央部には、上下方向に挿通孔３３を有するボス部３４が形成されており、このボス部３４にはサポート３０を上方に付勢するバネ３５が挿着されている。また、筒部３１の周壁３６には、後述する係止部材と係止する係止穴３７が周壁３６を貫通して形成されている。係止穴３７は、本体１０の後方の長側壁１３である後壁１３ｒに対向する筒部周壁３６の下端近傍に設けられている。また、筒部３１の上面３８は、蓋体２０の内面側に形成された凸部２４の回動軌跡に沿うように形成されている。このようなサポート３０は、ボス部３３の挿通孔３２を本体底部１１に立設されている円柱形の軸１６に挿通することで本体１０の内部に配置されている。本実施例では、軸１６は本体１０の長手方向の中央部に２本立設されており、それぞれにサポート３０が摺動自在に装着されている。
【００１９】
本体１０の後壁１３ｒ近傍には、底部１１に摺接して係止部材４０が設けられている。係止部材４０はサポート３０を係止する係止部４２と後壁１３ｒから突出して蓋体２０に当接する押圧部４３とが一体的に形成されている平面視略Ｔ字形の樹脂部材である。
【００２０】
例えば、図４に示すように、係止部材４０は連結部４５の両端部に２個の係止部４２と、連結部４５の長手方向中央に押圧部４３とを一体的に形成したものである。なお、係止部４２の後端部には後方に傾斜した斜面を有する係止爪４１が形成されている。係止部材４０はその底面が本体底部１１と摺接するように配置されているが、係止部４２は各々のサポート３０の筒部３１内に収容され、押圧部４３は筒部３１の下端部から後壁１３ｒに向かって延在するように配置されている。
【００２１】
後壁１３ｒにはこの押圧部４３を挿通する挿通穴１３ａが穿設されており、押圧部４３の後端部４３ａがこの挿通穴１３ａから後壁１３ｒの後面側に突出している。突出した後端部４３ａにはバネ４４が挿着されており、係止部材４０を後壁１３ｒ方向（図５の矢印Ｂ方向）に付勢している。
【００２２】
図２に示すように、蓋体２０が閉位置にある場合には、係止部材４０の係止部４２がサポート３０の係止穴３７に挿入されているので、係止部材４０はバネ３５の付勢力に抗してサポート３０を係止してこの係止位置で本体１０内部に保持することができる。
【００２３】
次に、本実施例の作用について説明する。
【００２４】
蓋体２０を図２の閉位置から図３に示す開位置にまで回動すると、蓋体２０の下部裏面２０ａが係止部材４０の押圧部４３の後端部に当接して押圧部４３を前方へ押圧する。これにより係止部材４０の係止部４２はサポート筒部３１の係止穴３７から抜け出すので、係止部材４０によるサポート３０の係止が解除される。サポート３０の係止が解除されるとサポート３０はバネ３５の付勢力により上昇して使用位置まで突出する。サポート３０が使用位置まで上昇したら容器を本体１０の収納部１４に収納し、必要に応じてサポート３０を容器側面に当接するように回動する。この回動は手動で行えばよいが、バネ３５の上下端部をそれぞれボス部３４の周壁と本体底部１１の所定の位置に固定することでサポート３０を水平方向に回動するように付勢してもよい。
【００２５】
蓋体２０を開位置から閉位置へ回動する場合には、蓋体２０は蓋体２０裏面の凸部２４が突出しているサポート３０を押圧しながら回動し開口１５を閉塞する。サポート３０の上面３８は、凸部２４の回動軌跡に沿う曲面で形成されているので、サポート３０は蓋体２０に押圧されて下降する。サポート３０が下降すると筒部周壁３６の下端縁が係止部材４０の係止部４２に当接する。係止部４２には係止爪４１が形成されているので、サポート３０の降下につれて周壁３６の下端縁は係止爪４１の斜面を押圧する。このため、係止部材４０はバネ４４の付勢力に抗して前進するが、周壁３６の下端縁が通過して係止穴３７が臨むとバネ４４の付勢力によって後退して係止部４２が係止穴３７に進入する。このようにして、サポート３０を係止部材４０によって係止することができる。
【００２６】
以上のように本実施例のカップホルダ１においては、サポート３０のボス部３４に挿着されるバネ３５がサポートの付勢手段であり、係止部材４０の係止部４２が係止手段であり、押圧部４３が係止解除手段である。本実施例では、係止手段と係止解除手段とが係止部材４０として一体的に形成されている。
【００２７】
（実施例２）
実施例２は、上記のカップホルダ１において、蓋体２０が開位置にある状態でサポート３０の高さを使用位置と係止位置との２段階に変化させることが可能なカップホルダである。このようにサポート位置を変化させるためには、サポートを係止する係止手段と、この係止を解除する係止解除手段とを別体とすればよい。本実施例は、係止手段と係止解除手段とを別体で構成した以外は実施例１と同様の構成を有するので、係止手段と係止解除手段とそれらの作用について以下に詳細に説明し、その他の実施例１と同様の構成については同一の符号を付して説明を省略する。
【００２８】
図６に本実施例におけるサポートの係止手段と係止解除手段を部品展開図で示す。
【００２９】
係止手段は側面視略Ｌ字型で正面視略門型の樹脂部材であって、本体底部１１に摺接する略Ｌ字型の２個の係止部５２を連結部５４で連結して一体的に形成した係止部材５０からなる。連結部５４の上部には間隔を隔てて２個の凸部５５が形成されている。この係止部材５０は実施例１の係止部材４０と同様にサポート３０の筒部３１内に収容されるとともに、本体底部１１上に前後方向に摺動可能に配置されており、図示しない付勢手段によって後方（図６では、矢印Ｂ方向）に付勢されている。
【００３０】
係止解除手段は、係止部材５０を押圧する押圧部材６０と、押圧部材６０を支持する左右の支持部材７０、７０とから構成されている。
【００３１】
押圧部材６０は断面矩形の棒体６１と、棒体６１の前端部近傍で直交する横軸６５とからなっている。棒体６１は頭部６２と体部６３とからなり、頭部６２と体部６３とは横軸６５の後方で軸６４により上下に回動可能に接続されている。また、体部６３の後端部６３ａは断面円形に形成されており、この後端部６３ａには押圧部材６０を後方に付勢するバネ６６が挿着されている。
【００３２】
支持部材７０には、押圧部材６０の横軸６５を挿通して支持するとともに移動軌跡を規制する円弧形状の案内穴７２が穿設されている。
【００３３】
このように構成された係止手段と係止解除手段の作用を図６〜９の部分断面図を参照しながら説明する。係止動作及び解除動作の理解を助けるために、図６〜９では押圧部材６０を含む縦断面と係止部材５０の係止部５２を含む縦断面とを重ねて示し、横軸６５は○で示した。また、支持部材７０は鎖線で示してある。
【００３４】
図６は、蓋体２０が閉位置にある場合である。この場合には、押圧部材６０は係止部材５０の連結部５４と係止部材５０の左右に立設された支持部材７０とで水平に支持されており、その後端部６３ａは本体後壁１３ｒから後方へ突出している。棒体６１の頭部６２先端は係止部材５０の凸部５５の間に進入してその下面が連結部５４の上面に当接しており、横軸６５は凸部５５の後面５５ａに当接している。この時、係止部材５０の係止部５２はサポート３０の筒部周壁３６に設けた係止穴３７に進入しているので、サポート３０は係止部材５０によってバネ３５の付勢力に抗して係止位置に係止されている。
【００３５】
図６の蓋体２０の閉位置から蓋体２０を開放して図７の開位置とすると、蓋体２０は突出している押圧部材６０の後端部６３ａを押圧する。押圧部材６０には横軸６５が進行方向に対して直交するように設けられており、上記のように横軸６５は係止部材５０の凸部後面５５ａに当接しているので、係止部材５０は押圧部材６０の前進に伴って前進する。これにより係止部材５０の係止部５２は係止穴３７から抜け出し、係止部材５０によるサポート３０の係止が解除される。サポート３０の係止が解除されるとサポート３０はバネ３５の付勢力により上昇して使用位置まで突出する。サポート３０が使用位置まで上昇したら容器を本体１０の収納部１４に収納し、必要に応じてサポート３０を容器側面に当接するように回動する。この回動は手動で行えばよいが、バネ３５の上下端部をそれぞれボス部３４の周壁と本体底部１１の所定の位置に固定することでサポート３０を水平方向に回動するように付勢してもよい。
【００３６】
押圧部材６０の横軸６５は案内穴７２に挿通されているので、押圧部材６０が前進するに連れてその頭部６２は円弧状の案内穴７２に沿って上昇する。従って、係止部材５０が図８に示す前進位置まで前進すると、横軸６５は当接している凸部後面５５ａから離脱する。このため、係止部材５０は後面からの押圧力がなくなるので図示しない付勢力により後方に付勢されて図８に示すように元の係止位置に戻る。すなわち、蓋体２０は開位置にあり、かつサポート３０は使用位置にありながら、係止部材５０は元の係止位置にあるわけである。
【００３７】
上記の状態でサポート３０を下方向に押圧すれば、係止部材５０は元の係止位置にあるので、図９に示すように実施例１の係止動作と同様にして係止部材５０はサポート３０を係止位置に係止することができる。つまり、本実施例では、蓋体２０を開にしたまま収納される容器にあわせてサポート３０の高さを高低２段階に変化させることができるわけである。
【００３８】
次に、サポート３０が係止位置の状態で蓋体２０を閉位置まで回動させると、押圧部材６０は、バネ６６の付勢力により後退し、後端部６３ａは本体後壁１３ｒから突出する。この時、押圧部材６０の頭部６２は案内穴７２に沿って回動するので押圧部材６０は図６に示す元の水平位置に戻る。また、サポート３０は係止部材５０に係止された状態で本体１０内部に収容される。
【００３９】
以上は、蓋体２０を開放状態でサポート高さを２段階に変更する場合について説明したが、サポート３０が使用位置にあってそのまま蓋体２０を閉位置に回動する場合には実施例１とほぼ同様の動作となる。
【００４０】
すなわち、サポート３０の上面３８は、蓋体２０の凸部２４の回動軌跡に沿う曲面で形成されているので、サポート３０は蓋体２０に押圧されて下降して係止位置で待機している係止部材５０によって係止される。一方、押圧部材６０は、バネ６６の付勢力により後退して後端部６３ａが本体後壁１２から突出するとともに、元の水平位置に戻る。
【００４１】
なお、本発明は上記の実施例に限定されることなく、本発明の主旨を逸脱しない範囲で変更することができる。例えば、上記の実施例ではサポート３０の容器表面に当接する当接部３２を水平方向に回動可能な構成としたが、図１０に示すサポート１３０のように上下方向に回動するように構成してもよい。
【産業上の利用可能性】
【００４２】
本発明のカップホルダは、自動車のセンターパネル部分やセンターコンソール部分などに設けられる、飲料などの容器を保持又は載置するための蓋体を有する箱形のカップホルダに好適である。
【図面の簡単な説明】
【００４３】
【図１】実施例のカップホルダの概略構成を説明する斜視図である。
【図２】実施例１の蓋体を閉位置としたときのＡ−Ａ’断面図である。
【図３】実施例１の蓋体を開位置としたときのＡ−Ａ’断面図である。
【図４】実施例１の係止手段と係止解除手段とを説明する斜視図である。
【図５】実施例２の係止手段と係止解除手段とを説明する斜視図である。
【図６】実施例２の係止手段と係止解除手段との動作を説明する部分断面図である。
【図７】実施例２の係止手段と係止解除手段との動作を説明する部分断面図である。
【図８】実施例２の係止手段と係止解除手段との動作を説明する部分断面図である。
【図９】実施例２の係止手段と係止解除手段との動作を説明する部分断面図である。
【図１０】従来のカップホルダを示す斜視図である。
【符号の説明】
【００４４】
１：カップホルダ  １０：本体  １５：開口  ２０：蓋体  ３０：サポート（サポート）
３５：バネ（付勢手段）  ３７：係止穴  ４０：係止部材（係止手段、係止解除手段）  ４２：係止部  ５０：係止部材（係止手段）  ６０：押圧部材（係止解除手段）  ７０：支持部材  ７２：案内穴
【図１】
2009001200.tif 000003
【図２】
2009001200.tif 000004
【図３】
2009001200.tif 000005
【図４】
2009001200.tif 000006
【図５】
2009001200.tif 000007
【図６】
2009001200.tif 000008
【図７】
2009001200.tif 000009
【図８】
2009001200.tif 000010
【図９】
2009001200.tif 000011
【図１０】
2009001200.tif 000012